(57)【要約】【課題】  脱着可能な原稿マットを備え、原稿の読み取り開始位置近傍の光学像を鮮明に読み取ることができる画像読み取り装置を提供する。【解決手段】  原稿が載置される原稿台と、前記原稿台に載置された前記原稿の光学像を読み取る走査部と、前記原稿台の盤面の読み取り開始側の外縁から突出し前記原稿の一端が当接される壁面を有する原稿ガイドと、前記原稿台の盤面を開放する姿勢から前記原稿台の盤面を覆う姿勢まで揺動可能な揺動体と、前記揺動体とともに揺動し、前記揺動体が前記原稿台の盤面を覆う姿勢のとき前記原稿台に載置された前記原稿に当接し前記原稿台に載置された前記原稿を覆う当接部を有する原稿マットと、前記揺動体に設けられ、前記原稿ガイドの前記壁面から前記走査部の読み取り範囲の外縁までの間に前記当接部の読み取り開始側の一端が位置するように前記原稿マットの読み取り開始側の端部を係止する位置決め部と、を備える。【選択図】    図１
2006047722.tif 000002
【特許請求の範囲】
【請求項１】
原稿が載置される原稿台と、
前記原稿台に載置された前記原稿の光学像を読み取る走査部と、
前記原稿台の盤面の読み取り開始側の外縁から突出し、前記原稿の一端が当接される壁面を有する原稿ガイドと、
前記原稿台の盤面を開放する姿勢から前記原稿台の盤面を覆う姿勢まで揺動可能な揺動体と、
前記揺動体とともに揺動し、前記揺動体が前記原稿台の盤面を覆う姿勢のとき、前記原稿台に載置された前記原稿に当接し前記原稿台に載置された前記原稿を覆う当接部を有する原稿マットと、
前記揺動体に設けられ、前記原稿ガイドの前記壁面から前記走査部の読み取り範囲の外縁までの間に前記当接部の読み取り開始側の一端が位置するように前記原稿マットの読み取り開始側の端部を係止する位置決め部と、
を備えることを特徴とする画像読み取り装置。
【請求項２】
前記揺動体に設けられ、前記原稿マットの読み取り終了側の互いに隣り合う２つの角部を係止する係止部を更に備えることを特徴とする請求項１に記載の画像読み取り装置。
【発明の詳細な説明】
【技術分野】
【０００１】
本発明は画像読み取り装置に関する。
【背景技術】
【０００２】
従来、透過原稿用光源を搭載する原稿カバー（所謂、透過原稿ユニット）を備える画像読み取り装置（例えば、特許文献１）が知られている。特許文献１に開示されている画像読み取り装置では、反射原稿の読み取りには透過原稿用光源から放射される光を遮蔽し反射原稿を原稿台に密着させる原稿マットを装着し、透過原稿の読み取りには原稿マットを取り外して透過原稿を透過原稿用光源で照明することにより、原稿台の盤面に載置された反射原稿と透過原稿とを読み取ることができる。
【０００３】
しかしながら、従来の画像読み取り装置は、脱着可能な原稿マットを原稿カバーに正確に位置決めする手段を備えていないため、原稿カバーが原稿台を覆う状態で原稿マットの読み取り開始側の一端が原稿ガイドに乗り上げるように原稿マットを位置決めしている。すると、原稿ガイド近傍において原稿マットと原稿台との間に間隙が形成される。そのような状態では、反射原稿の読み取り開始位置近傍の部位を原稿台の盤面に密着させることができない。つまり反射原稿の読み取り開始位置近傍の光学像を鮮明に読み取ることができない。
【０００４】
【特許文献１】特開２００３−７５９４４号公報
【発明の開示】
【発明が解決しようとする課題】
【０００５】
本発明は、上記の問題に鑑みてなされたものであって、脱着可能な原稿マットを備え、原稿の読み取り開始位置近傍の光学像を鮮明に読み取ることができる画像読み取り装置を提供することを目的とする。
【課題を解決するための手段】
【０００６】
上記目的を達成するための画像読み取り装置は、原稿が載置される原稿台と、前記原稿台に載置された前記原稿の光学像を読み取る走査部と、前記原稿台の盤面の読み取り開始側の外縁から突出し前記原稿の一端が当接される壁面を有する原稿ガイドと、前記原稿台の盤面を開放する姿勢から前記原稿台の盤面を覆う姿勢まで揺動可能な揺動体と、前記揺動体とともに揺動し、前記揺動体が前記原稿台の盤面を覆う姿勢のとき前記原稿台に載置された前記原稿に当接し前記原稿台に載置された前記原稿を覆う当接部を有する原稿マットと、前記揺動体に設けられ、前記原稿ガイドの前記壁面から前記走査部の読み取り範囲の外縁までの間に前記当接部の読み取り開始側の一端が位置するように前記原稿マットの読み取り開始側の端部を係止する位置決め部と、を備える。
位置決め部は、原稿ガイドの壁面から走査部の読み取り範囲の外縁までの間に原稿マットの一端が位置するように基部を係止する。したがって原稿マットは、揺動体が原稿台の盤面を覆う姿勢のとき原稿の読み取り開始位置近傍の部位に当接する。そのため原稿の読み取り開始位置近傍の部位を原稿台の盤面に密着させることができる。また位置決め部は、上述の範囲に原稿マットの読み取り開始側の一端を位置決めするために、基部の読み取り開始側の端部を係止する。つまり位置決め部に係止される部位と位置決め対象の部位とがともに読み取り開始側に位置し、互いの距離は近い。そのため原稿マットの読み取り開始側の一端が位置決めされる位置の公差を小さくでき、上述の範囲に原稿マットを精度よく位置決めすることができる。したがって原稿の読み取り開始位置近傍の光学像を鮮明に読み取ることができる。
前記揺動体に設けられ、前記原稿マットの読み取り終了側の互いに隣り合う２つの角部を係止する係止部を更に備えてもよい。
【発明を実施するための最良の形態】
【０００７】
以下、本発明の実施の形態を示す一実施例を図面に基づいて説明する。
図２は、本発明による画像読み取り装置の一実施例としての複合機１を示す模式図である。図３は、原稿カバー８が原稿台４の盤面４ａを開放する全開状態の複合機１のスキャナ部２を示す斜視図である。図４は、原稿カバー８が原稿台４の盤面４ａを覆う全閉状態の複合機１のスキャナ部２を示す斜視図である。図２に示すように複合機１は、画像の読み取り機能を有するスキャナ部２と画像の印刷機能を有するプリンタ部３とを備えている。
【０００８】
原稿台４は概ね矩形のガラス板等の透明板で形成され、その盤面４ａ上に反射原稿または透過原稿が載置される。以降では、反射原稿と透過原稿とを特に区別しないときは反射原稿または透過原稿を原稿１０とする。原稿台４の周縁部には、概ね矩形枠状の原稿ガイド６が接合されている。原稿ガイド６は、原稿１０に当接し原稿台４の盤面４ａ上に原稿１０を位置決めする。例えば原稿ガイド６の読み取り開始側の壁面６ａは、原稿１０の一端１０ａに当接して、原稿１０を副走査方向に位置決めする（図１参照）。
【０００９】
原稿カバー８は、カバーハウジング３０、透過原稿用光源１６、原稿マット２０等を備えている。原稿カバー８は、ヒンジ９でスキャナハウジング１２に揺動自在に連結されている（図３参照）。原稿カバー８は、原稿台４に載置される原稿１０を押さえるとともに、反射原稿用光源１４の放射光以外の光が反射原稿を照らすことがないように原稿台４の盤面４ａを覆う。
【００１０】
透過原稿用光源１６は原稿カバー８に収容されている。透過原稿用光源１６は、蛍光管ランプ等の管照明装置１７と光拡散板１８と反射板１９とを有している（図８参照）。光拡散板１８は原稿カバー８の揺動軸と平行な概ね矩形の半透明の導光板から構成され、管照明装置１７又は反射板１９から入射する光を拡散させて透過させる。
【００１１】
原稿マット２０はカバーハウジング３０に脱着自在に係止され、揺動体としてのカバーハウジング３０とともに揺動する。原稿マット２０は、反射原稿の読み取り時には原稿カバー８に装着され、透過原稿の読み取り時には原稿カバー８から取り外される。原稿マット２０は、原稿カバー８に装着されると光拡散板１８を被覆し、原稿カバー８から取り外されると光拡散板１８を露出させるように、その形状と取り付け位置とが設計されている。原稿マット２０は、全閉状態において、原稿台４の盤面４ａに載置された原稿１０を原稿台４に密着させる。
【００１２】
スキャナキャリッジ２２は原稿台４の盤面４ａと平行に往復移動自在にスキャナハウジング１２に収容されている。スキャナキャリッジ２２には、反射原稿用光源１４、原稿１０の光学像を読み取るイメージセンサ２４、原稿１０の主走査範囲の光学像をイメージセンサ２４の受光面に結像する光学系２５などが搭載されている。スキャナ部２は、原稿１０の主走査範囲の光学像の読み取りとスキャナキャリッジ２２の移動とを繰り返して、原稿１０の画像を読み取る。以降ではスキャナキャリッジ２２の移動方向を副走査方向（矢印Ｘ、Ｙ参照）という。ここで矢印Ｘは読み取り終了側から読み取り開始側に向かう方向を示し、矢印Ｙは読み取り開始側から読み取り終了側に向かう方向を示している。また原稿台４の盤面４ａに平行で副走査方向と垂直な方向を主走査方向という。イメージセンサ２４と光学系２５とが特許請求の範囲に記載の走査部に相当する。尚、縮小光学系のスキャナ部２を図示して説明したが、スキャナ部２は密着型イメージセンサを備えてもよい。
【００１３】
プリンタキャリッジ２６は副走査方向に往復移動自在にプリンタハウジング１３に収容されている。プリンタキャリッジ２６には記録ヘッド２７などが搭載されている。記録ヘッド２７は印刷用紙に向けてインクを噴射する。プリンタ部３は所謂インクジェット方式により画像を印刷する。尚、プリンタ部３はインクジェット方式に限定されない。例えばプリンタ部３はレーザー方式でもよい。
【００１４】
以下、原稿カバー８の構成要素について詳細に説明する。
図５は、原稿マット２０の斜視図である。
原稿マット２０は基板６０とマット６１とを有する。マット６１は、例えばウレタン材の矩形薄板と白色板とから構成されている。当接部としてのマット６１の基板６０と反対側の表面は、全閉状態において原稿１０に当接する。
【００１５】
基板６０の読み取り開始側の端部中央には接合部６６が設けられている。接合部６６には、突部６７及び６８が形成されている。突部６７及び６８は全閉状態における下方に突出している。突部６７、６８は、それぞれ後述する凹部９４、９６に嵌合する。これにより原稿マット２０の読み取り開始側の端部は、カバーハウジング３０に対して位置決めされる。
基板６０の読み取り終了側の隣り合う角部６０ａと角部６０ｂには、それぞれ突部６２と突部６３が形成されている。突部６２及び６３は基板６０のマット６１側の表面から突出している。突部６２、６３は、それぞれ後述する突部９０と図示しない突部とに係止される。これにより原稿マット２０の読み取り終了側の端部は、カバーハウジング３０に係止される。
基板６０の読み取り終了側の端部中央には、取っ手６９が設けられている。取っ手６９は、内縁がカバーハウジング３０の後述する凹部３８の周縁に沿うアーチ状に形成されている。ユーザは、取っ手６９を持って原稿マット２０を取り扱うことができるため、原稿マット２０を容易に脱着することができる。
【００１６】
図６は、カバーハウジング３０から原稿マット２０を取り外した状態の原稿カバー８の平面図である。図７は、カバーハウジング３０に原稿マット２０を取り付けた状態の原稿カバー８の平面図である。図８は、原稿カバー８の読み取り開始側の端部近傍を拡大した図７のＡ−Ａ線断面である。
カバーハウジング３０には、凹部３２と第一拘束部３４と第二拘束部３５と凹部３８とが設けられている。カバーハウジング３０に原稿マット２０が取り付けられた状態では、接合部６６はカバーハウジング３０の凹部３２に嵌め込まれる（図８参照）。また基板６０の角部６０ａ、６０ｂは、それぞれ第一拘束部３４と第二拘束部３５に拘束される。また取っ手６９は凹部３８上に位置している。
【００１７】
図９は原稿カバー８の読み取り終了側の端部近傍を拡大した図７のＢ−Ｂ線断面図である。図９（Ａ）は、原稿マット２０が原稿カバー８に係止される前の状態を示し、図９（Ｂ）は、係止された後の状態を示している。
第一拘束部３４には突部９０が設けられている。係止部としての突部９０は、第一拘束部３４の基板６０と近接する表面から全閉状態における上方に突出している。接合部６６をカバーハウジング３０の凹部３２に嵌め込んだ後に原稿マット２０を矢印Ｙ方向に移動させると、基板６０の突部６２は突部９０に当接する。すると、第一拘束部３４は基板６０に押し下げられる。さらに原稿マット２０を矢印Ｙ方向に押し込むと、基板６０の突部６２は突部９０を乗り越えて第一拘束部３４に進入する。基板６０の突部６２が突部９０を乗り越えた後は、塑性変形によって第一拘束部３４は元の形状に戻る。以上説明したように第一拘束部３４の突部９０は、基板６０の突部６２を係止することにより、原稿マット２０の角部６０ａをカバーハウジング３０に係止する。
【００１８】
第二拘束部３５には図示しない突部が設けられている。第二拘束部３５の突部は、第一拘束部３４の突部９０と同様に、第二拘束部３５の表面から突出している。第二拘束部３５の突部は、第一拘束部３４の突部９０と同様にして基板６０の突部６３を係止することにより、原稿マット２０の角部６０ｂをカバーハウジング３０に係止する。つまり原稿マット２０の読み取り終了側の端部は、第一拘束部３４の突部９０と第二拘束部３５の突部とによってカバーハウジング３０に係止されている。しかしながら、原稿マット２０の角部６０ａは、第一拘束部３４の側壁３４ａと突部９０との間で副走査方向に移動可能である。原稿マット２０の角部６０ｂについても角部６０ａと同様に移動可能である。つまり第一拘束部３４の突部９０と第二拘束部３５の突部とでは、原稿マット２０を精度よく位置決めすることができない。
【００１９】
図１０は、原稿カバー８の読み取り開始側の端部近傍を拡大した図７のＢ−Ｂ線断面図である。図１０（Ａ）と図１０（Ｂ）はそれぞれ図９（Ａ）と図９（Ｂ）とに対応する状態を示している。
カバーハウジング３０の読み取り開始側の端部には、突出部９２及び９３が形成されている。突出部９２は、凹部３２の読み取り終了側の側壁から読み取り開始側に突出している。突出部９２の全閉状態における上側の表面には、位置決め部としての凹部９４が形成されている。突出部９３は、突出部９２と同様の形状である。突出部９３には、凹部９４と同様に凹部９６が形成されている。
【００２０】
接合部６６をカバーハウジング３０の凹部３２に嵌め込んだ後に原稿マット２０を矢印Ｙ方向に移動させると、接合部６６の突部６７は突出部９２に当接する。すると、接合部６６の突部６７は、突出部９２によって全閉状態における上方に押しのけられる。さらに原稿マット２０を矢印Ｙ方向に押し込むと、接合部６６の突部６７は突出部９２の凹部９４と嵌合する。接合部６６の突部６７と突出部９２の凹部９４とが嵌合すると接合部６６は塑性変形によって元の形状に戻るため、突部６７の副走査方向の移動は凹部９４によって規制される。同様にして、接合部６６の突部６８の副走査方向の移動は、突出部９３の凹部９６によって規制される。以上説明したように凹部９４、９６は、それぞれ接合部６６の突部６７、６８の副走査方向の移動を規制することにより、原稿マット２０の読み取り開始側の端部を位置決めする。尚、原稿マット２０の読み取り開始側の端部が凹部９４と凹部９６とによって位置決めされているとき、原稿マット２０の読み取り終了側の端部は、前述のように第一拘束部３４の突部９０と第二拘束部３５の突部とによって係止されている。
【００２１】
図１は、原稿マット２０が凹部９４及び９６によって位置決めされる位置について説明するための模式図である。矢印ＳＡはイメージセンサ２４による読み取り範囲を示している。読み取り範囲の読み取り開始側の外縁（読み取り開始位置）は、一般に原稿ガイド６の読み取り開始側の壁面６ａから読み取り終了側に離れている（点線ＰＡ参照）。
突出部９２の凹部９４と突出部９３の凹部９６は、マット６１の読み取り開始側の一端６１ａが原稿ガイド６の壁面６ａから読み取り開始位置までの間に位置するように、原稿マット２０の読み取り開始側の一端を位置決めしている。そのためマット６１は、読み取り開始位置に位置する原稿１０を原稿台４の盤面４ａに密着させることができる。
【００２２】
以上説明した本発明の一実施例に係る複合機１によると、突出部９２の凹部９４と突出部９３の凹部９６は、それぞれ接合部６６の突部６７と突部６８の副走査方向の移動を規制する。これにより原稿マット２０は、マット６１の読み取り開始側の一端６１ａが原稿ガイド６の壁面６ａから読み取り範囲の外縁までの間に位置するように、精度よく位置決めされる。そのためマット６１は、読み取り開始位置に位置する原稿１０を原稿台４の盤面４ａに密着させることができる。したがって複合機１は、原稿１０の読み取り開始位置近傍の光学像を鮮明に読み取ることができる
また凹部９４と凹部９６は、マット６１の読み取り開始側の一端６１ａを位置決めするために、接合部６６の突部６７と突部６８の移動を規制している。接合部６６は基板６０の読み取り開始側の端部に位置している。つまり凹部９４に係止される突部６７とマット６１の一端６１ａとの距離は近い。同様に凹部９６に係止される突部６８とマット６１の一端６１ａとの距離は近い。そのためマット６１の一端６１ａが位置決めされる位置の公差を小さくでき、上述の範囲に原稿マットを精度よく位置決めすることができる。
【００２３】
尚、以上説明した本発明の一実施例では、画像読み取り装置を複合機１として説明したが、画像読み取り装置はイメージスキャナ、複写機、複写機能付きのファクシミリ等でもよい。
また、副走査方向の両側に突部を有している凹部９４及び９６を図示して説明したが、凹部９４及び９６は板状の突出部９２の表面に対して窪んでいてもよい（図１１（ａ）参照）。また、位置決め部は凹部９４及び９６であるとして説明したが、位置決め部は突部でもよい（図１１（ｂ）（ｃ）参照）。そのときは、位置決め部としての突部に嵌合する凹部を接合部６６に形成すればよい。
また、凹部９４及び９６で原稿マット２０を位置決めするとして説明したが、位置決め部は原稿マット２０を一カ所で位置決めしてもよいし、３カ所以上で位置決めしてもよい。
【図面の簡単な説明】
【００２４】
【図１】本発明の一実施例に係る複合機を示す模式図である。
【図２】本発明の一実施例に係る複合機を示す模式図である。
【図３】本発明の一実施例に係る複合機のスキャナ部を示す斜視図である。
【図４】本発明の一実施例に係る複合機のスキャナ部を示す斜視図である。
【図５】本発明の一実施例に係る原稿マットを示す斜視図である。
【図６】本発明の一実施例に係るカバーハウジングを示す平面図である。
【図７】本発明の一実施例に係る原稿カバーを示す平面図である。
【図８】読み取り開始側の端部近傍を拡大した図７のＡ１−Ａ１線断面図である。
【図９】読み取り終了側の端部近傍を拡大した図７のＡ２−Ａ２線断面図である。
【図１０】読み取り開始側の端部近傍を拡大した図７のＡ２−Ａ２線断面図である。
【図１１】本発明の一実施例に係る位置決め部を示す模式図である。
【符号の説明】
【００２５】
１  複合機、４  原稿台、４ａ  盤面（原稿台の盤面）、６  原稿ガイド、６ａ  壁面（原稿ガイドの盤面）、８  原稿カバー、１０  原稿、１０ａ  一端（原稿の一端）、２０  原稿マット、２４  イメージセンサ（走査部）、２５  光学系（走査部）、３０  カバーハウジング（揺動体）、６０ａ  角部、６０ｂ  角部、６１  マット（当接部）、６１ａ  一端、９０  突部（係止部）、９２  突出部、９４  凹部（位置決め部）、９６  凹部（位置決め部）、ＳＡ  矢印（読み取り範囲）、ＰＡ  点線（読み取り範囲の外縁）
【図１】
2006047722.tif 000003
【図２】
2006047722.tif 000004
【図３】
2006047722.tif 000005
【図４】
2006047722.tif 000006
【図５】
2006047722.tif 000007
【図６】
2006047722.tif 000008
【図７】
2006047722.tif 000009
【図８】
2006047722.tif 000010
【図９】
2006047722.tif 000011
【図１０】
2006047722.tif 000012
【図１１】
2006047722.tif 000013